【手続補正書】
【提出日】平成18年5月2日(2006.5.2)
【手続補正１】
【補正対象書類名】明細書
【補正対象項目名】発明の名称
【補正方法】変更
【補正の内容】
【発明の名称】スロットマシン、及びスロットマシンの制御方法
【手続補正２】
【補正対象書類名】明細書
【補正対象項目名】特許請求の範囲
【補正方法】変更
【補正の内容】
【特許請求の範囲】
【請求項１】  複数の図柄の変動表示及び停止表示を行う図柄表示手段、上記図柄表示手段による図柄の変動表示を開始させるための操作手段、並びに遊技の演出に関連する情報の表示を行う際に、上記操作手段が操作されることを契機に行われる、役の成立に関する内部抽選の結果に応じて、演出画像を予め定めるストーリーに沿って展開させる演出情報表示手段を備えているスロットマシンにおいて、
上記内部抽選の結果としての、予め定める特別遊技への移行を許容する役が成立している場合に、以後のゲーム毎に行われる上記役成立に関する内部抽選を予め定めるゲーム数分前倒して一度に行う抽選手段と、
この抽選手段により行われる上記前倒し内部抽選の結果に応じて、上記演出情報表示手段により展開される演出画像を決定する演出画像決定手段とを含むことを特徴とするスロットマシン。
【請求項２】  複数の図柄の変動表示及び停止表示を行う図柄表示手段、上記図柄表示手段による図柄の変動表示を開始させるための始動操作手段、遊技の演出に関連する情報の表示を行う際に、上記始動操作手段が操作されることを契機に行われる、役の成立に関する内部抽選の結果に応じて、演出画像を予め定めるストーリーに沿って展開させる演出情報表示手段、並びに図柄表示手段により図柄の変動表示を停止させるための複数の停止操作手段を備えているスロットマシンにおいて、
上記内部抽選の結果としての、予め定める特別遊技への移行を許容する役が成立している場合には、以後のゲーム毎に行われる上記役成立に関する内部抽選を予め定めるゲーム数に達するまで、上記各停止操作手段が操作される度に前倒して行う抽選手段と、
この抽選手段により行われる上記前倒し内部抽選の結果に応じて、上記演出情報表示手段により展開される演出画像を決定する演出画像決定手段とを含むことを特徴とするスロットマシン。
【請求項３】  上記抽選手段により行われる上記前倒し内部抽選において上記特別遊技許容役が成立したことを示すフラグを累積的にストックするストック手段と、
このストック手段により上記特別遊技許容役の成立フラグが累積的にストックされた後に、内部的に成立した役の組み合わせで上記図柄表示手段により上記図柄が停止表示されることを条件として、上記特別遊技許容役の成立フラグの累積ストック数に応じた連続的な上記特別遊技を実行可能とするストック放出手段とをさらに含むことを特徴とする請求項１又は２に記載のスロットマシン。
【請求項４】  上記抽選手段により行われる上記前倒し内部抽選で成立する上記特別遊技許容役の数に関連付けて、遊技者の上記特別遊技への移行に対する期待度が互いに異なる上記演出画像の展開パターンが複数登録されている展開パターンテーブルをさらに含み、
上記演出画像決定手段は、
上記抽選手段により行われる上記前倒し内部抽選で成立した上記特別遊技許容役の数をパラメーターとして上記展開パターンテーブルを参照し、この参照結果に基づいて上記演出画像の展開パターンを決定する手段を含むことを特徴とする請求項１乃至３の何れかに記載のスロットマシン。
【請求項５】  上記特別遊技で許容される最大連続ゲーム数を上限としてゲーム数が複数登録されている抽選テーブルをさらに含み、
上記抽選手段は、
上記前倒し内部抽選の対象となるゲーム数を、上記抽選テーブルを参照して決定する手段を含むことを特徴とする請求項１乃至４の何れかに記載のスロットマシン。
【請求項６】  上記特別遊技には、
遊技者に相対的に大きな利益を与えるゲームが予め定める回数連続して行える第１の特別遊技と、
遊技者に相対的に小さな利益を与えるゲームが予め定める回数連続して行える第２の特別遊技とが含まれており、
上記ストック手段は、
上記抽選手段により行われる上記前倒し内部抽選において、上記第２の特別遊技への移行を許容する役の成立回数が予め定める回数に達した場合には、それ以降の上記前倒し内部抽選の結果をクリアーする手段を含むことを特徴とする請求項３乃至５の何れかに記載のスロットマシン。
【請求項７】  複数の図柄の変動表示及び停止表示を行う図柄表示手段、上記図柄表示手段による図柄の変動表示を開始させるための操作手段、並びに遊技の演出に関連する情報の表示を行う際に、上記操作手段が操作されることを契機に行われる、役の成立に関する内部抽選の結果に応じて、演出画像を予め定めるストーリーに沿って展開させる演出情報表示手段を備えているスロットマシンを制御するための方法において、
上記内部抽選の結果としての、予め定める特別遊技への移行を許容する役が成立している場合に、以後のゲーム毎に行われる上記役成立に関する内部抽選を予め定めるゲーム数分前倒して一度に行う抽選ステップと、
この抽選ステップにおいて行われる上記前倒し内部抽選の結果に応じて、上記演出情報表示手段により展開される演出画像を決定する演出画像決定ステップとを含むことを特徴とするスロットマシンの制御方法。
【請求項８】  複数の図柄の変動表示及び停止表示を行う図柄表示手段、上記図柄表示手段による図柄の変動表示を開始させるための始動操作手段、遊技の演出に関連する情報の表示を行う際に、上記始動操作手段が操作されることを契機に行われる、役の成立に関する内部抽選の結果に応じて、演出画像を予め定めるストーリーに沿って展開させる演出情報表示手段、並びに図柄表示手段により図柄の変動表示を停止させるための複数の停止操作手段を備えているスロットマシンを制御するための方法において、
上記内部抽選の結果としての、予め定める特別遊技への移行を許容する役が成立している場合には、以後のゲーム毎に行われる上記役成立に関する内部抽選を予め定めるゲーム数に達するまで、上記各停止操作手段が操作される度に前倒して行う抽選ステップと、
この抽選ステップにおいて行われる上記前倒し内部抽選の結果に応じて、上記演出情報表示手段により展開される演出画像を決定する演出画像決定ステップとを含むことを特徴とするスロットマシンの制御方法。
【手続補正３】
【補正対象書類名】明細書
【補正対象項目名】００１５
【補正方法】変更
【補正の内容】
【００１５】
【課題を解決するための手段】
第１の観点に係る本発明は、複数の図柄の変動表示及び停止表示を行う図柄表示手段、上記図柄表示手段による図柄の変動表示を開始させるための操作手段、並びに遊技の演出に関連する情報の表示を行う際に、上記操作手段が操作されることを契機に行われる、役の成立に関する内部抽選の結果に応じて、演出画像を予め定めるストーリーに沿って展開させる演出情報表示手段を備えているスロットマシンにおいて、上記内部抽選の結果としての、予め定める特別遊技への移行を許容する役が成立している場合に、以後のゲーム毎に行われる上記役成立に関する内部抽選を予め定めるゲーム数分前倒して一度に行う抽選手段と、この抽選手段により行われる上記前倒し内部抽選の結果に応じて、上記演出情報表示手段により展開される演出画像を決定する演出画像決定手段とを含む。
【手続補正４】
【補正対象書類名】明細書
【補正対象項目名】００１６
【補正方法】変更
【補正の内容】
【００１６】
上記構成において、図柄表示手段により図柄の変動表示を開始させるために操作手段が操作されることを契機として、抽選手段は、役成立に関する内部抽選を行うが、この内部抽選の結果としての、予め定める特別遊技への移行を許容する役が成立している場合には、抽選手段は、以後のゲーム毎に行われる役成立内部抽選を予め定めるゲーム数分前倒して一度に行う。この前倒し内部抽選の結果に応じて、演出映像決定手段は、演出情報表示手段により展開される演出画像を決定する。これにより、演出情報が本来有しているストーリーを十分に展開できる。そのため、遊技者は、内部抽選の結果及び前倒し内部抽選の結果（特に、特別遊技許容役が成立したか否か）を確実に予測できる。その結果、相対的に長いゲーム数が消化されるまで遊技者の期待感を維持させることができる。
【手続補正５】
【補正対象書類名】明細書
【補正対象項目名】００１７
【補正方法】変更
【補正の内容】
【００１７】
第２の観点に係る本発明は、複数の図柄の変動表示及び停止表示を行う図柄表示手段、上記図柄表示手段による図柄の変動表示を開始させるための始動操作手段、遊技の演出に関連する情報の表示を行う際に、上記始動操作手段が操作されることを契機に行われる、役の成立に関する内部抽選の結果に応じて、演出画像を予め定めるストーリーに沿って展開させる演出情報表示手段、並びに図柄表示手段により図柄の変動表示を停止させるための複数の停止操作手段を備えているスロットマシンにおいて、上記内部抽選の結果としての、予め定める特別遊技への移行を許容する役が成立している場合には、以後のゲーム毎に行われる上記役成立に関する内部抽選を予め定めるゲーム数に達するまで、上記各停止操作手段が操作される度に前倒して行う抽選手段と、この抽選手段により行われる上記前倒し内部抽選の結果に応じて、上記演出情報表示手段により展開される演出画像を決定する演出画像決定手段とを含む。
【手続補正６】
【補正対象書類名】明細書
【補正対象項目名】００１８
【補正方法】変更
【補正の内容】
【００１８】
上記構成において、図柄表示手段により図柄の変動表示を開始させるために始動操作手段が操作されることを契機として、抽選手段は、役成立に関する内部抽選を行うが、この該内部抽選の結果としての、予め定める特別遊技への移行を許容する役が成立している場合には、抽選手段は、以後のゲーム毎に行われる役成立内部抽選を予め定めるゲーム数に達するまで、図柄表示手段により図柄の変動表示を停止するために各停止操作手段が操作される度に前倒して行う。この前倒し内部抽選の結果に応じて、演出情報決定手段は、演出情報表示手段により展開される演出画像を決定する。これにより、演出情報が本来有しているストーリーを十分に展開できる。そのため、遊技者は、内部抽選の結果及び前倒し内部抽選の結果（特に、特別遊技許容役が成立したか否か）を確実に予測できる。その結果、相対的に長いゲーム数が消化されるまで遊技者の期待感を維持させることができる。加えて、前倒し内部抽選時に発生する乱数に偏重をきたさないで済む。換言すると、当該前倒し内部抽選の結果がある結果に偏りがちになるのを防止できる。その結果、ゲームの健全性を十分に担保できる。
【手続補正７】
【補正対象書類名】明細書
【補正対象項目名】００２６
【補正方法】変更
【補正の内容】
【００２６】
第３の観点に係る本発明は、複数の図柄の変動表示及び停止表示を行う図柄表示手段、上記図柄表示手段による図柄の変動表示を開始させるための操作手段、並びに遊技の演出に関連する情報の表示を行う際に、上記操作手段が操作されることを契機に行われる、役の成立に関する内部抽選の結果に応じて、演出画像を予め定めるストーリーに沿って展開させる演出情報表示手段を備えているスロットマシンを制御するための方法において、上記内部抽選の結果としての、予め定める特別遊技への移行を許容する役が成立している場合に、以後のゲーム毎に行われる上記役成立に関する内部抽選を予め定めるゲーム数分前倒して一度に行う抽選ステップと、この抽選ステップにおいて行われる上記前倒し内部抽選の結果に応じて、上記演出情報表示手段により展開される演出画像を決定する演出画像決定ステップとを含む。
【手続補正８】
【補正対象書類名】明細書
【補正対象項目名】００２８
【補正方法】変更
【補正の内容】
【００２８】
第４の観点に係る本発明は、複数の図柄の変動表示及び停止表示を行う図柄表示手段、上記図柄表示手段による図柄の変動表示を開始させるための始動操作手段、遊技の演出に関連する情報の表示を行う際に、上記始動操作手段が操作されることを契機に行われる、役の成立に関する内部抽選の結果に応じて、演出画像を予め定めるストーリーに沿って展開させる演出情報表示手段、並びに図柄表示手段により図柄の変動表示を停止させるための複数の停止操作手段を備えているスロットマシンを制御するための方法において、上記内部抽選の結果としての、予め定める特別遊技への移行を許容する役が成立している場合には、以後のゲーム毎に行われる上記役成立に関する内部抽選を予め定めるゲーム数に達するまで、上記各停止操作手段が操作される度に前倒して行う抽選ステップと、この抽選ステップにおいて行われる上記前倒し内部抽選の結果に応じて、上記演出情報表示手段により展開される演出画像を決定する演出画像決定ステップとを含む。